(57)【要約】  【課題】架空ケーブルから引込線を分岐する個所から導出される引込線の垂れ下りを防止する抑制する。  【解決手段】、  鋼線でＵ字状に形成した本体部分(２)と、この本体部分(２)の一方の連出片(３)に形成した引込線係合部(４)と、本体部分(２)の他方の連出片(５)に形成した吊線挟持部(６)とを具備している。  引込線係合部(４)は、一方の連出片(３)を折り曲げ形成して引込線挿通間隙を有する形状に構成してある。  吊線挟持部(６)は、前記本体部分(２)の他方の連出片(５)の中間部を前記引込線係合部とは逆方向に連出する状態に形成してバネ構造に形成した折返部(９)と、折返部の遊端側をＵ字状基部側に曲げ形成してこの折返片(11)の先端寄り部を上向きに湾曲形成するとともに、その先端部(12)を略Ｊ字状に形成して、このＪ字状先端部(12)を前記本体部分(12)のＵ字状連出片間に進入可能に構成してある。【選択図】    図１
2016152654.tif 000002
【特許請求の範囲】
【請求項１】
架空ケーブルから引込線を分岐する個所から導出される引込線の垂れ下りを防止する金物(１)であって、
鋼線でＵ字状に形成した本体部分(２)と、この本体部分(２)の一方の連出片(３)に形成した引込線係合部(４)と、本体部分(２)の他方の連出片(５)に形成した吊線挟持部(６)とからなり、
引込線係合部(４)は、一方の連出片(３)を折り曲げ形成して引込線挿通間隙を有する形状に構成してあり、
吊線挟持部(６)は、前記本体部分(２)の他方の連出片(５)の中間部を前記引込線係合部とは逆方向に連出する状態に形成してバネ構造に形成した折返部(９)と、折返部の遊端側をＵ字状基部側に曲げ形成してこの折返片(11)の先端寄り部を上向きに湾曲形成するとともに、その先端部(12)を略Ｊ字状に形成して、このＪ字状先端部(12)を前記本体部分(12)のＵ字状連出片間に進入可能に構成してある、
ことを特徴とする引込線垂れ下り防止金物。
【請求項２】
引込線係合部(４)は、一方の連出片(３)を垂直に折り曲げ連出してループ状に形成した巻回部(７)と、その巻回部(７)の先端寄り部を前記巻回部(７)で構成する平面に対して直交する方向に連出した略Ｖ字状の折曲部(８)とで構成してある請求項１に記載の引込線垂れ下り防止金物。
【請求項３】
折り返し部(９)を形成するバネ構造が、ねじりコイルバネである請求項１又は２に記載の引込線垂れ下り防止金物。
【発明の詳細な説明】
【技術分野】
【０００１】
本発明は、電柱間に架設された電力ケーブルや通信ケーブルから分岐した分岐線を加入者に引込む引込線垂れ下り防止金物に関する。
【背景技術】
【０００２】
電柱間に架設された電力ケーブルや通信ケーブルなどのケーブル(本線ケーブル)から、接続端子函により分岐した家屋への引込線を引込む際、本線ケーブルを支持する吊線に、分岐金物を取り付け、分岐金物に本線ケーブルを係止する方法が一般に行われている。この分岐金物は、吊線を挟持する一対の挟持板を有する取付け部と、この一対の挟持板を貫通する状態に配設されたフック部とを備え、フック部の貫通部に螺合するナットを締め付けることで吊線を一対の挟持板で挟みつけて固定し、このフック部に引込線に配設された引留め具を掛止するものが知られている。(特許文献１)
【先行技術文献】
【特許文献】
【０００３】
【特許文献１】特許第２６６０８６８号公報
【発明の概要】
【発明が解決しようとする課題】
【０００４】
一対の挟持板を締め込むことで吊線を挟持する形式の分線金物では、分線金物の設置が高所での手作業での螺合作業であることから、取り付け精度が十分でない場合や、取付け後の風の影響等で、分線金物自体が吊線から外れて落下した場合、この分線金物落下に伴い引込線が垂れ下がるという不都合が生じることがあった。
【０００５】
本発明は、このような点に鑑み提案されたもので、分線金物が吊線から離脱することがあっても、引込線が垂れ下がるのを防止する防止金物を提供することを目的としている。
【課題を解決するための手段】
【０００６】
上記の目的を達成するために、請求項１に記載の本発明は、鋼線でＵ字状に形成した本体部分と、この本体部分の一方の連出片に形成した引込線係合部と、本体部分の他方の連出片に形成した吊線挟持部とからなり、
引込線係合部は、一方の連出片を折り曲げ形成して引込線挿通間隙を有する形状に構成してあり、
吊線挟持部は、前記本体部分の他方の連出片の中間部に位置する部分を前記引込線係合部とは逆方向に連出する状態に形成したバネ構造に形成した折り返し部と、折返し部の遊端側をＵ字状基部側に曲げ形成してこの折曲片の先端寄り部を上向きに湾曲形成するとともに、その先端部を略Ｊ字状に形成して、このＪ字状先端部を前記本体部分のＵ字状連出片間に進入可能に構成してあることを特徴としている。
【０００７】
また、請求項２に記載の本発明は、請求項１に記載の構成に加えて、引込線係合部を、一方の連出片を垂直に折り曲げ連出してループ状に形成した巻回部と、その巻回部の先端寄り部を前記巻回部で構成する平面に対して直交する方向に連出した略Ｖ字状の折曲部とで構成してあるのであることを特徴としている。また、請求項３に記載の本発明は、請求項１又は請求項２に記載の構成に加えて、吊線挟持部の中間部に位置するバネ構造の折り返し部をねじりコイルバネで構成してあることを特徴としている。
【発明の効果】
【０００８】
本発明では、吊線と、引込線引留具を介して導出されている引込線とを連係させる状態に引込線垂れ下り防止金物を装着することができるから、分線金物が吊線から離脱することがあっても、引込線を巻掛け係止している引留具が分線金物落下抑制具の引込線係合部に受け止められることになり、引込線が垂れ下ることを防止することができる。
【図面の簡単な説明】
【０００９】
【図１】本発明の実施例を示す斜視図である。
【図２】使用状態の一例を示す斜視図である。
【図３】本発明の別の実施形態を示す図であり、図３aは第１別実施形態の平面図、図３bは第１別実施形態の正面図、図３cは第２別実施形態の平面図、図３dは第２別実施形態の正面図、図３eは第３別実施形態の平面図、図３fは第３別実施形態の正面図、図３gは第４別実施形態の平面図、図３hは第４別実施形態の正面図、図３jは第５別実施形態の平面図、図３kは第5別実施形態の正面図である。
【図４】結束具を示す図であり、図４ａは平面図、図４ｂは正面図である。
【図５】装着補助具の斜視図である。
【発明を実施するための形態】
【００１０】
本発明に係る引込線垂れ下り防止金物(１)は、図１に示すように、１本の鋼線材で折り曲げ形成されてものであり、鋼線をＵ字状に形成した本体部分(２)と、この本体部分(２)の一方の連出片(３)に形成した引込線係合部(４)と、本体部分(２)の他方の連出片(５)に形成した吊線挟持部(６)とを有している。
【００１１】
引込線係合部(４)は、一方の連出片(３)を垂直に折り曲げ連出してループ状に形成した巻回部(７)と、その巻回部(７)の先端寄り部を前記巻回部(７)で構成する平面に対して直交する方向に連出した略Ｖ字状の折曲部(８)とで構成してある。
【００１２】
吊線挟持部(６)は、前記本体部分(２)の他方の連出片(５)の中間部分を巻回してねじりコイルバネ構造の弾性折返部(９)とし、この折返片(11)の遊端側をＵ字状基部側に折曲げ形成し、この折返片(11)の先端寄り部を上向きに湾曲形成するとともに、その先端部(12)を略Ｊ字状に形成して、このＪ字状先端部(12)を前記本体部分のＵ字状連出片(３)(５)間に進入可能に構成してある。
【００１３】
前記ねじりコイルバネ構造の弾性折返部(９)は開き勝手に弾性付勢してあり、折返片(11)を折返部(９)の弾性力に抗して、本体部分(２)側に接近させることにより、Ｊ字状先端部(12)を一対の連出片(３)(５)間から突出させ、その突出しているＪ字状先端部(12)のフック部(13)を本線ケーブル(Ｃ)及び吊線(Ｓ)に引っ掛けて、折返片(11)に作用している弾性力への対抗力を解除することで、この本線ケーブル(Ｃ)及び吊線(Ｓ)をＪ字状先端部(12)のフック部(13)と一対の連出片(３)(５)との間に挟み込んで分線金物落下抑制具(１)をケーブル(Ｃ)及び吊線(Ｓ)に係着するようにしてある。
【００１４】
図２は本線ケーブル(Ｃ)から引込線(Ｄ)を分線する個所での使用状態の一例を示す斜視図であり、本発明に係る引込線垂れ下り防止金物(１)は、吊線(Ｓ)に配設される分線金物(14)の近傍で本線ケーブル(Ｃ)及び吊線(Ｓ)に係着される。そして、分線金物(14)には引留具(16)が連結してある。そして、本線ケーブル(Ｃ)から導出した引込線(Ｄ)は、引留具(16)に突出形成されている３つの巻き掛け部(17a)、(17b)、(17c)に略Ｗ字型となるように順次巻き掛けられ、その引き出し側引込線(Ｄ)は分線金物落下抑制具(１)の引込線係合部(４)を通過して家屋側の引留具(16)に接続されるようになっている。
【００１５】
したがって、引込線垂れ下り防止金物(１)は分線金物(14)の近傍の吊線(Ｓ)と、引留具(16)よりも家屋側の引込線(Ｄ)とに亘って装着されることになり、仮に、何らかの要因で分線金物(14)が吊線(Ｓ)から離脱するようなことがあっても、引込線(Ｄ)を巻掛け保持している引留具(16)の家屋側端面が引込線係合部(４)に受止められることになるから、引込線(Ｄ)が垂れ下がることがなくなる。
【００１６】
図３は、引込線係合部(４)の別実施例を示すもので、図３a及び図３bに示すものは、引込線係合部(４)を垂直に折り曲げ連出し、その先端部を本体部分(２)での連出方向と直交する状態で巻回したものである。図３c及び図３dに示すものは、引込線係合部(４)を垂直に折り曲げ連出し、その先端部を本体部分(２)での連出方向と同じ平面内でループ状に巻回したものである。また、図３及び図３fに示すものは、引込線係合部(４)を垂直に折り曲げ連出し、その先端部を本体部分(２)での連出方向と同じ平面内で略２重のＬ字状となるように連出したものである。
【００１７】
さらに、図３g及び図３hに示すものは、引込線係合部(４)を垂直に折り曲げ連出し、その先端部を本体部分(２)での連出方向と同じ平面内でクリップ状に折り曲げ形成したものである。さらにまた、図３j及び図３kに示すものは、引込線係合部(４)を垂直に折り曲げ連出し、その先端部を本体部分(２)での連出方向と同じ平面内でリボンクリップ状に折り曲げ形成したものである。
【００１８】
この引込線係合部(４)での線材同士の間隔は、引込線(Ｄ)は挿通できるが、引留具(16)の幅及び厚みは受け止めることができる間隔に形成してある。
【００１９】
図４は、１箇所から複数の引込線(Ｄ)を導出する個所で、複数の導出引込線を一括化するための結束具(19)を示し、この結束具(19)は、１本の鋼線を長円形に形成し、一方の弧状部分で各端部を小寸法だけ重ね合わせるとともに、その重ね合わせ部をそれぞれ相互に開く方向に折り曲げることで、正面視Ｙ字型に形成したものである。
【００２０】
この結束具(19)は、例えば４本の引込線(Ｄ)を本線ケーブル(Ｃ)から導出する際に、各分線金物(14)に引留具(16)に接続し、両端に位置する分線金物落下抑制具(１)の引込線係合部(４)と引留具(16)との間ですべての引込線(Ｄ)に結束器具(19)のＹ字型開口部をあてがい押し込むことですべての引込線(Ｄ)を包囲する状態に配置する。これにより、複数並列して導出されている引込線(Ｄ)は、何らかの要因でいずれかの分線金物(14)が吊線(Ｓ)から離脱するようなことがあっても、引留具(16)の移動を引込線係合部(４)で受止めることになるから、引込線(Ｄ)が垂れ下がることがなくなる。
【００２１】
図５は、本発明に係る分線金物落下抑制具(１)を引込線(Ｄ)の分岐導出部に装着する際に使用する装着補助具(20)を示している。この装着補助具(20)は、円柱状の本体(21)の下端面から図示を省略した操作棒に螺合する雄ネジ(22)を連出するとともに、本体(21)の軸方向中央部分の周面を所定範囲を径方向に切欠き断面が半円形となるように切欠いて、分線金物落下抑制具(１)でのＵ字状に形成した本体部分(２)の連出片(３)(５)と、吊線挟持部(６)の折返片(11)とを係合保持する開口部(23)に形成し、本体(21)の外周面に表れる軸心と平行な一対の直線状端縁とその端縁に連続する円弧状端縁との接続コーナー部のうち、同一直線状端縁部側のコーナー部を外端部から本体中心に向かって、内側が浅くなる傾斜状の円弧溝を形成して、分線金物落下抑制具(１)の線材受け止め溝(24)としたものである。
【００２２】
装着補助具(20)の使用時は、吊線挟持部(６)のＪ字状先端部(12)が線材受け止め溝(24)側に位置する状態で分線金物落下抑制具(１)を装着補助具(20)の開口部(23)に装着し、開口部(23)の本体(21)の下端面から連出している雄ネジ(22)に図示を省略した操作棒を螺合接続して、分線金物(14)が固定されている個所の近傍での吊線(Ｓ)にそのＪ字状先端部(12)を挿入して、操作棒を回転させることで、分線金物落下抑制具(１)を開口部(23)から離脱させる。これにより、分線金物落下抑制具(１)が吊線(Ｓ)を挟持した状態で取付けられることになり、吊線(Ｓ)と引込線(Ｄ)の引留具(16)の家屋側部分との間に分線金物落下抑制具(１)が装備されることになる。
【００２３】
そして、本件分線金物落下抑制具(１)では、引込線係合部(４)が一方の連出片(３)を垂直に折り曲げ連出してループ状に形成した巻回部(７)と、その巻回部(７)の先端寄り部を前記巻回部(７)で構成する平面に対して直交する方向に連出した略Ｖ字状の折曲部(８)とで構成してあるので、分線金物(14)のが設置されている個所へ引込線垂れ下り防止金物(１)を取り付ける際に、引留具(16)空引き出されている引込線(Ｄ)に対して左・右側いずれの側から装着する場合でも該引込線(Ｄ)をＵ字状に形成した本体部分(２)の上側に位置させ、引込線係合部(４)の間隙を移動させることで、Ｖ字状の折曲部(８)の上部外周面と、巻回部(７)の内面との間に位置させることができる。これにより、分線金物(14)が吊線(Ｓ)から離脱した場合に引込線(Ｄ)に作用している張力で家屋側に引っ張られても、引留具(16)の家屋側端面が引込線係合部(４)に当接して受け止められることから、引込線(Ｄ)が垂れ下ることがなくなる。
【００２４】
上述の実施形態では、本線ケーブル(Ｃ)と吊線(３)とを別体で形成し、リング(図示略)で本線ケーブル(Ｃ)を吊線(３)に支持させる形式のもので説明したが、本線ケーブル(Ｃ)と吊線(３)とが一体に形成されているセルフサポートケーブルであっても良い。
【００２５】
また、上述の各実施形態ではバネ構造に形成した折返部(９)をねじりコイルバネで形成したが、このバネ構造に形成した折返部(９)は、開き方向に弾性力が働く構造である。
【符号の説明】
【００２６】
１…引込線垂れ下り防止金物、２…本体部分、３…本体部分の一方の連出片、４…引込線係合部、５…本体部分の他方の連出片、６…吊線挟持部、９…折返部(ねじりコイルバネ部)、11…折返片、12…Ｊ字状先端部、14…分線金物、16…引留具、Ｄ…引込線。
【図１】
2016152654.tif 000003
【図２】
2016152654.tif 000004
【図３】
2016152654.tif 000005
【図４】
2016152654.tif 000006
【図５】
2016152654.tif 000007